【手続補正書】
【提出日】平成20年5月30日(2008.5.30)
【手続補正１】
【補正対象書類名】特許請求の範囲
【補正対象項目名】全文
【補正方法】変更
【補正の内容】
【特許請求の範囲】
【請求項１】
記録材の表面からの反射光を得るために記録材に光を照射する第１の照射手段と、
記録材からの透過光を得るために前記記録材に光を照射する第２の照射手段と、
前記第１の照射手段から照射されて前記記録材から反射された正反射光と乱反射光、および前記第２の照射手段から照射され前記記録材を透過する正透過光と拡散透過光を読み取る複数の読取手段と、
前記複数の読取手段により得られる正反射光量と乱反射光量との比である反射光比、および前記複数の読取手段により得られる正透過光量と散乱透過光量との比である透過光比を用いて前記記録材の種類を判別する判別手段と
を備えたことを特徴とする記録材判別装置。
【請求項２】
前記第１の照射手段および第２の照射手段は、各々異なる複数の光量で光を照射し、前記判別手段は、前記第１の照射手段および第２の照射手段により異なる複数の光量の光によってそれぞれ得られる前記反射光比および透過光比を用いて前記記録材の種類を判別することを特徴とする請求項１に記載の記録材判別装置。
【請求項３】
前記第１の照射手段および第２の照射手段により照射される光に対して一定の反射特性および透過特性を有し、前記記録材の読取位置に配置された基準板をさらに備えたことを特徴とする請求項２に記載の記録材判別装置。
【請求項４】
前記第１の照射手段と前記複数の読取手段とを前記記録材の一方に配置し、前記第２の照射手段を前記記録材に対して前記第１の照射手段の反対側に配置したことを特徴とする請求項１、２または３に記載の記録材判別装置。
【請求項５】
前記複数の読取手段は、第１の読取手段と第２の読取手段とから構成され、
前記第２の照射手段と第２の読取手段とは前記記録材を挟んで対向する位置に、および前記第１の照射手段と第１の読取手段とは第２の照射手段と第２の読取手段とを結ぶ線に対して線対称の位置に配置されたことを特徴とする請求項１、２または３に記載の記録材判別装置。
【請求項６】
記録材の表面からの反射光を得るために該記録材に光を照射し、得られる前記記録材の正反射光および乱反射光を読み取る反射光読取ステップと、
前記記録材を透過する透過光を得るために光を照射し、得られる前記記録材の正透過光および拡散透過光を読み取る透過光読取ステップと、
前記読み取られた正反射光量と乱反射光量との比である反射光比、および前記読み取られた正透過光量と散乱透過光量との比である透過光比を用いて前記記録材の種類を判別する判別ステップと
を備えたことを特徴とする記録材判別方法。
【請求項７】
前記反射光読取ステップおよび透過光読取ステップでは、それぞれ異なる複数の光量で光を照射して反射光および透過光を読み取り、前記判別ステップは、前記異なる複数の光量の光によってそれぞれ得られる前記反射光比および透過光比を用いて前記記録材の種類を判別することを特徴とする請求項６に記載の記録材判別方法。
【請求項８】
前記反射光読取ステップまたは透過光読取ステップは、発光光量の高い順から照射することを特徴とする請求項７に記載の記録材判別方法。
【請求項９】
前記反射光読取ステップまたは透過光読取ステップは、前記記録材の搬送中または停止中に行われることを特徴とする請求項６に記載の記録材判別方法。
【請求項１０】
像担持体と、前記像担持体上に形成される潜像に現像剤を付与して前記潜像を現像する現像手段と、記録材に前記現像手段によって現像された現像剤像を転写する転写手段と、前記転写手段によって前記記録材上に転写された前記現像剤像を定着させる定着手段とを備えた画像形成装置において、
前記記録材表面からの反射光を得るために前記記録材に光を照射する第１の照射手段と、
前記記録材からの透過光を得るために前記記録材に光を照射する第２の照射手段と、
前記第１の照射手段から照射されて前記記録材から反射された正反射光と乱反射光、および前記第２の照射手段から照射され前記記録材を透過する正透過光と拡散透過光を読み取る複数の読取手段とを備え、
前記複数の読取手段により得られる正反射光量と乱反射光量との比である反射光比、および前記複数の読取手段とにより得られる正透過光量と散乱透過光量との比である透過光比に基づいて、前記定着手段の前記定着条件を設定して前記現像剤像を前記記録材に定着させることを特徴とする画像形成装置。
【請求項１１】
前記第１の照射手段および第２の照射手段は、各々異なる複数の光量で光を照射し、前記判別手段は、前記第１の照射手段および第２の照射手段により異なる複数の光量の光によってそれぞれ得られる前記反射光比および透過光比を用いて前記記録材の種類を判別することを特徴とする請求項１０に記載の画像形成装置。
【請求項１２】
前記第１の照射手段と前記複数の読取手段を前記記録材の一方に配置し、前記第２の照射手段を前記記録材に対して前記第１の照射手段の反対側に配置したことを特徴とする請求項１０または１１に記載の画像形成装置。
【請求項１３】
前記複数の読取手段は、第１の読取手段と第２の読取手段とから構成され、前記第２の照射手段と第２の読取手段とは前記記録材を挟んで対向する位置に、および前記第１の照射手段と第１の読取手段とは第２の照射手段と第２の読取手段とを結ぶ線に対して線対称の位置に配置されたことを特徴とする請求項１０または１１に記載の画像形成装置。
【請求項１４】
前記記録材の種類に応じて、前記画像形成装置の後処理装置へ排紙する枚数を可変させる後処理制御手段をさらに備えたことを特徴とする請求項１０ないし１３のいずれかに記載の画像形成装置。
【請求項１５】
記録材に光を照射する照射手段と、
前記照射手段から照射され、前記記録材を透過する正透過光を受光する第１受光手段と、
前記照射手段から照射され、前記記録材を透過する拡散透過光を受光する第２受光手段と、
前記第１受光手段から得られた出力と前記第２受光手段から得られた出力とに基づいて前記記録材の種類を判別する判別手段と
を備えた記録材判別装置。
【請求項１６】
前記判別手段は、前記第１受光手段から得られた出力と前記第２受光手段から得られた出力との比を用いて前記記録材の種類を判別することを特徴とする請求項１５に記載の記録材判別装置。
【請求項１７】
前記照射手段は、異なる複数の光量で光を照射し、前記判別手段は、前記照射手段からの異なる光量の光によって得られる前記透過光比を用いて前記記録材の種類を判別することを特徴とする請求項１５または１６に記載の記録材判別装置。
【請求項１８】
記録材に光を照射するステップと、
前記記録材を透過する正透過光を受光するステップと、
前記記録材を透過する拡散透過光を受光するステップと、
受光された前記正透過光と拡散透過光とに基づいて前記記録材の種類を判別するステップと
を備えたことを特徴とする記録材判別方法。
【請求項１９】
前記記録材の種類を判別するステップは、受光された前記正透過光と拡散透過光との比に基づいて判別することを特徴とする請求項１８に記載の記録材判別方法。
【請求項２０】
像担持体と、前記像担持体上に形成される潜像に現像剤を付与して前記潜像を現像する現像手段と、記録材に前記現像手段によって現像された現像剤像を転写する転写手段と、前記転写手段によって前記記録材上に転写された前記現像剤像を定着させる定着手段とを備えた画像形成装置において、
記録材に光を照射する照射手段と、
前記照射手段から照射され、前記記録材を透過する正透過光を受光する第１受光手段と、
前記照射手段から照射され、前記記録材を透過する拡散透過光を受光する第２受光手段とを備え、
第１受光手段から得られた出力と第２受光手段から得られた出力とに基づいて前記定着手段における定着条件を設定して前記現像剤像を記録材に定着させることを特徴とする画像形成装置。
【請求項２１】
第１受光手段から得られた出力と第２受光手段から得られた出力とに基づいて前記定着手段における定着条件を設定することを特徴とする請求項２０に記載の画像形成装置。
【手続補正２】
【補正対象書類名】明細書
【補正対象項目名】００１３
【補正方法】削除
【補正の内容】